(57)【要約】【課題】  電線の心線とグランドシェルとの短絡を防止することができる電線接続用コネクタを提供する。【解決手段】  電線としての同軸ケーブルＣの心線Ｃ１が接続されるヘッダ１と、ヘッダ１に着脱自在に結合するソケット２と、同軸ケーブルＣの心線Ｃ１への雑音の混入を防止するグランドシェル３とを備える。同軸ケーブルＣの心線Ｃ１とグランドシェル３との間に介在する絶縁体６をグランドシェル３と一体に設けた。絶縁体６によって同軸ケーブルＣの心線Ｃ１とグランドシェル３との短絡が防止される。【選択図】図１
2005071669.tif 000002
【特許請求の範囲】
【請求項１】
それぞれ導電材料からなり電線の心線が接続される端子部を有する１乃至複数の雄コンタクト及び絶縁材料からなり雄コンタクトを保持する雄ハウジングを有するヘッダと、それぞれ導電材料からなり雄コンタクトに接触可能な１乃至複数の雌コンタクト及び絶縁材料からなり雌コンタクトを保持する雌ハウジングを有しヘッダに着脱自在に結合するソケットと、導電材料からなり雄コンタクトの端子部を挟んで雄ハウジングの反対側に位置して接地されるグランドシェルと、雄コンタクトの端子部に接続された電線の心線とグランドシェルとの間に介在する絶縁体とを備えることを特徴とする電線接続用コネクタ。
【請求項２】
それぞれ向きを揃えて並んだ複数の電線のうちの１本ずつの心線が接続される複数の雄コンタクトを有し、絶縁体に、電線が並ぶ方向で電線の心線を挟んで位置決めする位置決め部を設けたことを特徴とする請求項１記載の電線接続用コネクタ。
【発明の詳細な説明】
【技術分野】
【０００１】
本発明は、電線をプリント配線板等に接続するために用いられる電線接続用コネクタに関するものである。
【背景技術】
【０００２】
従来から、電線が接続されるヘッダと、プリント配線板や他の電線に接続されヘッダに着脱自在に結合するソケットとを備え、電線をプリント配線板や他の電線に接続するために用いられる電線接続用コネクタが提供されている（例えば、特許文献１参照）。
【０００３】
この種の電線接続用コネクタとして、図６に示すように、導電材料からなりヘッダ１と電線としての同軸ケーブルＣとの接続部を覆い接地されてノイズを遮蔽するグランドシェル３を有するものがある。
【０００４】
具体的に説明すると、ヘッダ１は、図７に示すように、それぞれ導電材料からなり向きを揃えて並んだ同軸ケーブルＣの心線Ｃ１のうち一本が接続される複数本の雄コンタクト１１と、絶縁材料からなり直方体形に形成され短手方向の両側にそれぞれ雄コンタクト１１を保持する複数の凹部１２ａが設けられた雄ハウジング１２とを備える。ヘッダ１は、雄ハウジング１２の長手方向を同軸ケーブルＣが並ぶ方向に揃えて同軸ケーブルＣに接続される。ここで、互いに隣接する同軸ケーブルＣの心線Ｃ１が接続される雄コンタクト１１同士は、雄ハウジング１２の短手方向の互いに異なる側に保持され、雄コンタクト１１は全体として千鳥状に配置されている。
【０００５】
ソケット２は、ヘッダ１が挿抜される凹部２２ａが設けられた雌ハウジング２２と、それぞれ凹部２２ａの両側に保持され雄コンタクト１１に接触する複数の雌コンタクト２１とを備える。
【０００６】
雄コンタクト１１は、図８に示すように、雄ハウジング１２の凹部１２ａの底に保持された保持部１１ａと、保持部１１ａの一端から延長され雄ハウジング１２のソケット２との結合時に露出する面（図８の上面）から突出して例えばはんだ付けによって同軸ケーブルＣの心線Ｃ１に接続される端子部１１ｂと、保持部１１ａの他端から延長され保持部１１ａとともにＪ字を形成するように曲がり後述する雌コンタクト２１に弾接する接触部１１ｃとを有する。
【０００７】
雌コンタクト２１は、雌ハウジング２２の凹部２２ａの底面の側方で雌ハウジング２２を貫通する保持部２１ａと、保持部２１ａの一端から延長され雌ハウジング２２の外底面より下側に露出して図示しないプリント配線板に面実装される端子部２１ｂと、保持部２１ａの他端から延長され雌ハウジング２２の凹部２２ａの内側に露出して雄コンタクト１１の接触部１１ｃに接触する接触部２１ｃとを有する。
【０００８】
また、雌ハウジング２２の長手方向の両端部には、それぞれ金属板からなり断面コ字状に形成されて雌ハウジング２２を凹部２２ａの内外から挟むようにして雌ハウジング２２に結合する本体部４１と、本体部４１の雌ハウジング２２の外側に位置する一端から延長され接地される接地部４２とを有する接地片４が装着される。
【０００９】
グランドシェル３は、金属板からなり、長方形状の本体部３１と、本体部３１の長手方向の両端から同じ側に曲がった２個の結合部３２とを有する。ここで、各接地片４の本体部４１のそれぞれ凹部２２ａ内を向いた面には突部４３が設けられ、グランドシェル３の各結合部３２にはそれぞれ貫通穴３３が貫設されていて、貫通穴３３が突部４３に係合することによってグランドシェル３と接地片４とは機械的かつ電気的に結合する。同時に、グランドシェル３はソケット２に対して固定され、同軸ケーブルＣの心線Ｃ１はグランドシェル３との間に隙間を空けて雄ハウジング１２とグランドシェル３との間に挟まれる。
【００１０】
また、それぞれ長細い平板状に形成され同軸ケーブルＣの編組線Ｃ２を挟む２枚のグランドバー５１，５２を備える。一方のグランドバー５１は、グランドシェル３にも接触する。ここにおいて、同軸ケーブルＣの編組線Ｃ２は、グランドバー５１とグランドシェル３と接地片４とを介して接地される。
【特許文献１】特開平１１−３０７１８７号公報（第２−４頁、第１３図）
【発明の開示】
【発明が解決しようとする課題】
【００１１】
上記従来構成において、小型化のためにグランドシェル３と同軸ケーブルＣの心線Ｃ１との間の隙間を小さくした場合には、例えばグランドシェル３が外力を受けて撓んだときや、同軸ケーブルＣの心線Ｃ１とグランドシェル３との間の電位差が大きくなったときに、同軸ケーブルＣの心線Ｃ１がグランドシェル３と短絡するおそれがあったため、小型化が難しかった。
【００１２】
本発明は上記事由に鑑みてなされたものであり、その目的は、電線の心線とグランドシェルとの短絡を防止することができる電線接続用コネクタを提供することにある。
【課題を解決するための手段】
【００１３】
請求項１の発明は、それぞれ導電材料からなり電線の心線が接続される端子部を有する１乃至複数の雄コンタクト及び絶縁材料からなり雄コンタクトを保持する雄ハウジングを有するヘッダと、それぞれ導電材料からなり雄コンタクトに接触可能な１乃至複数の雌コンタクト及び絶縁材料からなり雌コンタクトを保持する雌ハウジングを有しヘッダに着脱自在に結合するソケットと、導電材料からなり雄コンタクトの端子部を挟んで雄ハウジングの反対側に位置して接地されるグランドシェルと、雄コンタクトの端子部に接続された電線の心線とグランドシェルとの間に介在する絶縁体とを備えることを特徴とする。
【００１４】
この構成によれば、絶縁体により電線の心線とグランドシェルとの短絡を防止することができる。また、電線の心線とグランドシェルとの間の放電も絶縁体によって防止されるから、絶縁耐圧を確保しながらもグラントシェルと電線の心線との間の距離を小さくすることができ、従って小型化が可能となる。
【００１５】
請求項２の発明は、請求項１の発明において、それぞれ向きを揃えて並んだ複数の電線のうちの１本ずつの心線が接続される複数の雄コンタクトを有し、絶縁体に、電線が並ぶ方向で電線の心線を挟んで位置決めする位置決め部を設けたことを特徴とする。
【００１６】
この構成によれば、電線の心線が他の電線の心線や他の電線の心線が接続される雄コンタクトに接触することを位置決め部によって防止することができる。
【発明の効果】
【００１７】
本発明は、グランドシェルと電線の心線との間に介在する絶縁体を設けたので、電線の心線とグランドシェルとの短絡を防止することができる。
【発明を実施するための最良の形態】
【００１８】
以下、本発明を実施するための最良の形態について図面を用いて説明する。
【００１９】
なお、以下では電線として同軸ケーブルを例に挙げて説明するが、電線は同軸ケーブルには限られず、例えば絶縁被覆を有する単線であってもよい。
【００２０】
本実施形態の基本構成は従来例と共通であるので、共通する部分については同じ符号を付して説明を省略し、異なる部分についてのみ詳細に説明する。
【００２１】
本実施形態は、図１に示すように、例えば合成樹脂成形品からなり同軸ケーブルＣの心線Ｃ１とグランドシェル３との間に介在する絶縁体６を設けたことを特徴とする。絶縁体６は、グランドシェル３に例えば同時成形などで一体化されることにより機械的に補強され、割れが防止されている。また、絶縁体６には、図２に示すように、それぞれ同軸ケーブルＣの並ぶ方向に延びた２本の突条６１が、同軸ケーブルＣの長さ方向に並べて設けられている。各突条６１には、図３に示すようにそれぞれ雄コンタクト１１の端子部１１ｂに接続された同軸ケーブルＣの心線Ｃ１が保持される溝６２，６３が設けられている。つまり、突条６１が位置決め部である。この構成によれば、同軸ケーブルＣが並ぶ方向での同軸ケーブルＣの心線Ｃ１の移動が禁止されるから、互いに隣接する同軸ケーブルＣの心線Ｃ１の短絡が防止される。また、突条６１が同軸ケーブルＣの心線Ｃ１の長さ方向の２箇所に設けられているから、一方の突条６１のみを設ける場合に比べて同軸ケーブルＣの心線Ｃ１の位置がより安定する。
【００２２】
図４に示すように、各突条６１において各１本の同軸ケーブルＣの心線Ｃ１が保持される２個の溝６２，６３のうち、一方の溝６３は底に近い位置ほど幅寸法を小さくした断面Ｖ字形状に形成され、他方の溝６２は幅寸法が同軸ケーブルＣの心線Ｃ１の外径と同程度の断面Ｕ字形状に形成されている。また、各突条６１で断面Ｕ字形状の溝６２と断面Ｖ字形状の溝６３とは交互に並んでいる。
【００２３】
各突条６１は雄コンタクト１１の端子部１１ｂがなす列に対応する位置に設けられており、グランドシェル３が接地片４を介してソケット２に結合した状態では、図５に示すように、絶縁体６の突条６１の断面Ｖ字形状の溝６３の内面が雄コンタクト１１の端子部１１ｂとの間に同軸ケーブルＣの心線Ｃ１を挟むことにより、心線Ｃ１の端子部１１ｂからの剥離が防止される。
【００２４】
上記構成によれば、例えばグランドシェル３が外力によって撓んだ場合にも、同軸ケーブルＣの心線Ｃ１とグランドシェル３との短絡が絶縁体６によって防止される。また、グランドシェル３と同軸ケーブルＣの心線Ｃ１との間の絶縁耐圧も向上する。従って、同軸ケーブルＣと心線Ｃ１との間の隙間を確保する必要がないから、絶縁体６を備えない場合に比べて小型化が可能となる。
【図面の簡単な説明】
【００２５】
【図１】本発明の実施形態を示す断面図である。
【図２】同上のグランドシェルと絶縁体とを示す斜視図である。
【図３】同上に電線とグランドバーとを装着した状態の要部を示す斜視図である。
【図４】同上の絶縁体及びグランドシェルの要部を示す斜視図である。
【図５】同上の絶縁体と雄コンタクトとの位置関係を示す斜視図である。
【図６】グランドシェルを有する電線接続用コネクタの一例を示す斜視図である。
【図７】従来例を示す分解斜視図である。
【図８】同上を示す断面図である。
【符号の説明】
【００２６】
１  ヘッダ
２  ソケット
３  グランドシェル
６  絶縁体
１１  雄コンタクト
１１ｂ  端子部
１２  雄ハウジング
２１  雌コンタクト
２２  雌ハウジング
６１  突条
Ｃ  同軸ケーブル
Ｃ１  心線
【図１】
2005071669.tif 000003
【図２】
2005071669.tif 000004
【図３】
2005071669.tif 000005
【図４】
2005071669.tif 000006
【図５】
2005071669.tif 000007
【図６】
2005071669.tif 000008
【図７】
2005071669.tif 000009
【図８】
2005071669.tif 000010